(57)【要約】  【課題】  エアフィルターやブラシ自体を傷めることなく、清掃効果を均一とすることができる空気調和機用清掃装置及び空気調和機を提供する。  【解決手段】  回転清掃体３４は、清掃体５２と、該清掃体５２を保持するロータ５１とを有し、一方向に回転するものであって、前記清掃体５２は、前記ロータ５１の長手方向に対してほぼ直線状に形成され、且つ、前記ロータ５１に前記清掃体５２が固定されて、前記清掃体５２がエアフィルター２１の表面上に当接する。【選択図】図３
2011052890.tif 000002
【特許請求の範囲】
【請求項１】
空気調和機に内蔵されたエアフィルターに堆積した塵埃を除去するための回転清掃体を備えた空気調和機用清掃装置において、前記回転清掃体は、清掃体と、該清掃体を保持するロータとを有し、一方向に回転するものであって、前記清掃体は、前記ロータの長手方向に対してほぼ直線状に形成され、且つ、前記ロータに前記清掃体が固定されて、前記清掃体が前記エアフィルターの表面上に当接することを特徴とする、空気調和機用清掃装置。
【請求項２】
清掃体は、ロータの長手方向に形成された１条の溝に固定されていることを特徴とする、請求項１記載の空気調和機用清掃装置。
【請求項３】
エアフィルターは、屈曲されて少なくとも一方向に移動するとともに、前記エアフィルターの屈曲部近傍にて、回転清掃体の清掃体を、前記エアフィルターの表面に当接させたことを特徴とする請求項１又は２に記載の空気調和機用清掃装置。
【請求項４】
請求項１〜３のいずれか１項に記載の空気調和機用清掃装置を搭載した空気調和機。
【発明の詳細な説明】
【技術分野】
【０００１】
本発明は、空気調和機に取り付けられエアフィルターの清掃を行う空気調和機用清掃装置と、それを用いた空気調和機に関するものである。
【背景技術】
【０００２】
従来より、空気調和機用清掃装置は、図５に示すものが知られている。この清掃装置１０は、エアフィルター１１が駆動プーリー１８又は従動プーリーによって屈曲された部分にブラシ１２を当接し、このブラシ１２を図面上、左右に揺動させることによって、エアフィルター１１に付着した塵埃１９を取り除き、ブラシ１２に付着した塵埃は塵埃収納室１３の上部２箇所に設置されている櫛１７によって塵埃収納室へ落とす構成となっている。
【０００３】
また、駆動手段で回転駆動されると共に、空気調和機に内蔵されたエアフィルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成されたものが知られている。（特許文献１）。
【先行技術文献】
【特許文献】
【０００４】
【特許文献１】特開２００８−１１６０９１号公報
【発明の概要】
【発明が解決しようとする課題】
【０００５】
しかしながら、上記図５に記載の清掃装置は、ブラシが揺動する構造のため、エアフィルターの進行にたいして順方向に掃除する場合と、逆方向に掃除する場合があり、順方向に掃除する場合には、清掃効果が弱くなる。一方、逆方向に掃除する場合には、掻き出し力が強くなるので、清掃効果は強くなる。これが交互に繰り返されるため、清掃効果にムラが生じることとなっていた。また、ブラシを揺動させる構成となっているので、ブラシに付着した塵埃を除去する櫛を２箇所に設置する必要がある。また、ブラシが揺動を繰り返す駆動構造は複雑なため、安価に製造することはできない。さらに、ブラシのたわみ方向が反転する際に機械的なきしみ音が発生していた。
【０００６】
一方、上記特許文献１に記載の清掃装置は、ブラシを一方向に回転させるため、ブラシに付着した塵埃を除去する櫛を１箇所に設置すれば良いものであるが、ブラシ毛が軸体の全周にわたって密集して巻き付けられているため、エアフィルターに当接した際に、回転後方側のブラシ毛にバックアップされて腰が強くなり、結果として、エアフィルターやブラシ毛自体を傷めたり、エアフィルターの下流面に塵埃を押しやってしまう原因となっていた。
【０００７】
本発明は、上記従来の課題を解決するもので、エアフィルターやブラシ自体を傷めることなく、清掃効果を均一とすることができる空気調和機用清掃装置及び空気調和機を提供することを目的としている。
【課題を解決するための手段】
【０００８】
上記従来の課題を解決する為に、請求項１の空気調和機用清掃装置の発明は、空気調和機に内蔵されたエアフィルターに堆積した塵埃を除去するための回転清掃体を備えた空気調和機用清掃装置において、前記回転清掃体は、清掃体と、該清掃体を保持するロータとを有し、一方向に回転するものであって、前記清掃体は、前記ロータの長手方向に対してほぼ直線状に形成され、且つ、前記ロータに前記清掃体が固定されて、前記清掃体が前記エアフィルターの表面上に当接することを特徴としている。したがって、回転清掃体が一方向に回転すると、清掃体がエアフィルターに当接している状態と、当接していない状態とが交互に繰り返されることとなるので、清掃体によってエアフィルターを叩く作用が生じ、塵埃を除去し易くなる。また、清掃体が程よく撓むので、エアフィルターが変形したり、清掃体自体を傷めたりすることがなく、塵埃をエアフィルターの下流面へ押しやることが無い。また、清掃体が直線状であることから安価に製作することができる。また、回転清掃体は、一方向の回転であることから、清掃効果が常に均一であり、運転音もうるさくない。
【０００９】
請求項２の発明は、請求項１の発明において、清掃体は、ロータの長手方向に形成された１条の溝に固定されていることを特徴としている。したがって、清掃体がロータから抜け落ちる事が無く、且つ安価に空気調和機用清掃装置を製作することができる。
【００１０】
請求項３の発明は、請求項１又は２の発明において、エアフィルターは、屈曲されて少なくとも一方向に移動するとともに、前記エアフィルターの屈曲部近傍にて、回転清掃体の清掃体を、前記エアフィルターの表面に当接させたことを特徴としている。したがって、エアフィルターの屈曲部では、エアフィルターの目から塵埃が浮き出し易くなった状態となるので、エアフィルターの屈曲部近傍にて清掃体を当接させると、最も清掃効率を上げることができる。
【００１１】
請求項４の発明は、請求項１〜３のいずれか１項に記載の空気調和機用清掃装置を搭載した空気調和機を特徴としている。したがって、エアフィルターの目詰まりが起きず、冷暖房効率に優れた省エネルギーに貢献する空気調和機を安価な構造で提供できる。
【発明の効果】
【００１２】
請求項１の発明では、塵埃を除去し易くなり、エアフィルターが変形したり、清掃体自体を傷めたりすることがなく、塵埃をエアフィルターの下流面へ押しやることが無い。また、安価に製作することができ、清掃効果が常に均一であり、運転音もうるさくない。また、請求項２の発明では、清掃体がロータから抜け落ちることが無く、且つ安価に空気調和機用清掃装置を製作することができる。また、請求項３の発明では、清掃効率を上げることができる。さらに、請求項４の発明では、冷暖房効率に優れた省エネルギーに貢献する空気調和機を安価な構造で提供できる。
【図面の簡単な説明】
【００１３】
【図１】空気調和機の室内機を示す斜視図
【図２】同室内機の概略断面図
【図３】空気調和機用清掃装置を示す概略断面図
【図４】回転清掃体を示す斜視図
【図５】従来の空気調和機の清掃装置を示す説明図
【発明を実施するための形態】
【００１４】
図１は、本実施例における空気調和機用清掃装置を搭載した空気調和機の室内機の斜視図、図２は、同室内機の概略断面図である。
【００１５】
図１、２において、３０は、本実施例における空気調和機用清掃装置で、室内に設置された空気調和機の室内機２０に、前方より着脱自在に装着されると共に、室内機２０に内蔵されたエアフィルター２１の表面に付着した塵埃を除去するための回転清掃体３４を内蔵している。
【００１６】
室内機２０の前面には、室内の空気を取り入れるための吸込口２２ａを有する前面パネル２２が設けられ、その吸込口２２ａの下流側に、エアフィルター２１、室内の空気を熱交換する熱交換器２３、ファン２４が順に配され、ファン２４を運転すると、室内の空気が、吸込口２２ａから吸引され、熱交換器２３で熱交換された後、吹出口２５から室内に吹き出される。
【００１７】
エアフィルター２１は、図２に示すように、ベルト状に形成されると共に、図示しないモーターと減速装置からなる駆動手段２６で回転駆動される駆動プーリー２７と、従動プーリー２８間に張架されている。
【００１８】
図３は、本発明に係る空気調和機用清掃装置を示す概略断面図である。この図に示すように、空気調和機用清掃装置３０は、回転清掃体３４を備えており、この回転清掃体３４は、清掃体５２と、この清掃体５２を保持するロータ５１とを有している。また、矢印Ｂに示すように、一方向に回転するものであって、清掃体５２は、ロータ５１の長手方向に対してほぼ直線状に形成され、且つ、ロータ５１に清掃体５２が固定されている。また、清掃体５２は、エアフィルター２１の表面上に当接するようになっている。
【００１９】
ここで、エアフィルター２１は、屈曲されて少なくとも一方向に移動するとともに、エアフィルター２１の屈曲部近傍にて、回転清掃体３４の清掃体５２を、エアフィルター２１の表面に当接させている。
【００２０】
図４は、本発明に係る空気調和機用清掃装置の回転清掃体３４を示す斜視図である。この図に示すように、回転清掃体３４を構成する清掃体５２は、ロータ５１の長手方向に形成された１条の溝５１ａに固定されている。
【００２１】
ここで、回転清掃体３４は、棒状で金属材料からなるロータ５１と、ロータ５１の上面に固定されると共に、基布５２ａと、基布５２ａに植毛されたブラシ部５２ｂからなる清掃体５２と、ロータ５１の両側に設けられロータ５１を回転自在に保持すると共に、カバー上に装着される軸受け体（図示せず）と、ロータ５１の一端に固着され、空気調和機用清掃装置３０を室内機２０の前方より装着したときに、室内機２０側に設けられた駆動手段（図示せず）で回転駆動されるギアー（図示せず）から構成されている。回転清掃体３４が、集塵ボックス３３に装着された状態では、塵埃除去手段（櫛）３７の先端が回転清掃体３４のブラシ部５２ｂに食い込んでいる。
【００２２】
以上のように構成された本実施例における空気調和機用清掃装置３０及びそれを搭載した空気調和機の室内機２０の動作、作用は以下の通りである。
【００２３】
図１に示すように、予め、空気調和機用清掃装置３０を、空気調和機の室内機２０の所定の箇所に装着しておく。この状態では、図２に示すように、空気調和機用清掃装置３０に内蔵された回転清掃体３４のブラシ部５２ｂの先端がエアフィルター２１の表面に当接している。
【００２４】
そして、室内機２０を例えば、冷房運転すると、ファン２４の運転により室内の空気が吸込口２２ａから流入し、エアフィルター２１を通って熱交換器２３に至り、そこで冷却され、冷たい空気が吹出口２５から室内に吹き出される。吸込口２２ａから吸引される室内の空気に含まれた塵埃は、エアフィルター２１で捕獲され、そのエアフィルター２１の表面に次第に堆積していく。エアフィルター２１の表面に塵埃が堆積してくると、空気の通気圧損が増加し、熱交換器２３での熱交換効率が低下してくるので、定期的に或いは、必要に応じて、エアフィルター２１に堆積した塵埃の除去運転が必要となる。
【００２５】
そこで、本実施例では、塵埃の除去運転を開始すると、図２に示すように、駆動手段２６により駆動プーリー２７が反時計方向に回転し、エアフィルター２１が矢印Ａ方向に移動を開始する。同時に、空気調和機用清掃装置３０の回転清掃体３４が、同じく反時計方向（矢印Ｂ）に回転させることにより、エアフィルター２１の表面に付着していた塵埃３５が回転清掃体３４のブラシ部５２ｂにより掻き取られ、集塵ボックス３３内にこぼれ落ちる。同時に、ブラシ部５２ｂ上に取り残された塵埃３５は、櫛状の塵埃除去手段３７により、除去される。
【００２６】
この塵埃除去運転は、ベルト状のエアフィルター２１が半周すなわち、エアフィルター２１の前側半分が、後ろ側に移動するまで行なわれる。通常、エアフィルター２１の後ろ側半分には、塵埃がほとんど堆積しないので、塵埃除去運転を終えた時点で、エアフィルター２１のきれいな後ろ側半分が、前側に移動している。何度か、上記塵埃除去運転を行なうと、空気調和機用清掃装置３０の集塵ボックス３３内に塵埃が堆積してくるので、それを廃棄する必要がある。廃棄は、集塵ボックス３３を室内機２０より外した後、塵埃を捨てる方法や、集塵ボックス３３内の平板状の塵埃移送手段３６を移動させて塵埃を片側端部に圧縮させた後、捨てる方法等にて行なわれる。
【００２７】
本実施例においては、清掃体はロータの長手方向に対してほぼ直線状に形成されてあるが、長手方向の全長において、例えば３０°程の捩りが形成された形態もほぼ直線状と解釈される。また、清掃体のロータへの固定方法についても本実施例の如く、溝５１ａに清掃体５２を挿入固定する形態以外にも、例えば概円柱あるいは円筒状のロータの外表面に清掃体を接着剤、両面テープ等で固定する形態も採用できる。また、清掃体についても本実施例以外にも、本発明の効果を有することができれば、ブレード等を採用できる。さらにまた、エアフィルター２１に接触する時の清掃体５２に発生する回転清掃体３４の駆動用モータの負荷を低減する為、例えば回転清掃体３４の略中心部にて左右に分割し、左右の各々に装着する清掃体を１８０°ずらして装着させる事により、負荷を分散させる形態も採用できる。
【産業上の利用可能性】
【００２８】
以上のように、本発明にかかる空気調和機用清掃装置は、回転清掃体を安価に製造することができ、且つ、均一な塵埃掻き取り性能を有しており、小型、低騒音で、しかも衛生的で、また、塵埃の廃棄、メンテナンスが容易なもので、家庭用、業務用の各種空気調和機は勿論、空気清浄機、換気装置などエアフィルターを有する各種機器に適用できるものである。
【符号の説明】
【００２９】
２０  室内機
２１  エアフィルター
３０  空気調和機用清掃装置
３４  回転清掃体
３５  塵埃
５１  ロータ
５１ａ  溝
５２  清掃体
【図１】
2011052890.tif 000003
【図２】
2011052890.tif 000004
【図３】
2011052890.tif 000005
【図４】
2011052890.tif 000006
【図５】
2011052890.tif 000007